(57)【要約】【課題】  機器本体の保持状態に対応して表示部の作動状態を制御可能な電子機器等を提供する。【解決手段】  携帯電話端末１の電源制御部１１２は、表示部１４を表示状態と待機状態との間で切り換える切換手段と、携帯電話端末１の本体がユーザに保持されているか否かを判別する判別手段と、を備える。電源制御部１１２は、携帯電話端末１の本体が稼動状態でユーザに保持された場合には、表示部１４を表示状態に保持し、携帯電話端末１の本体が稼動状態でユーザから離間された場合には、表示部１４を待機状態に切り換える、【選択図】  図２
2005293425.tif 000002
【特許請求の範囲】
【請求項１】
携帯型の電子機器であって、
表示部を表示状態と待機状態との間で切り換える切換手段と、
電子機器本体がユーザに保持されているか否かを判別する判別手段と、
電源制御部と、を備え、
前記電源制御部は、前記切換手段を制御して、
前記本体が稼動状態でユーザに保持された場合には、表示部を表示状態に保持し、
前記本体が稼動状態でユーザから離間された場合には、表示部を待機状態に切り換える、
ことを特徴とする電子機器。
【請求項２】
電子機器本体の保持状態の移行に対応させて装置電源のＯＮ／ＯＦＦを切り換える切り換えモードと、常に設定された状態に装置電源の設定を維持する維持モードとを択一的に選択する手段をさらに備え、
前記電源制御部は、前記本体が稼動状態でユーザから離間された場合において、切り換えモードが選択されている場合には、装置電源をＯＦＦに設定し、維持モードが選択されている場合には、装置電源をＯＮに維持する、
ことを特徴とする請求項１に記載の電子機器。
【請求項３】
前記電源制御部は、前記本体が停止状態でユーザに保持された場合において、切り換えモードが選択されている場合には、装置電源をＯＮに設定し、維持モードが選択されている場合には、装置電源をＯＦＦに維持する、
ことを特徴とする請求項２に記載の電子機器。
【請求項４】
制御部にて実行されている処理の有無を判別する手段をさらに備え、
前記電源制御部は、所定の処理が実行され、且つ、電子機器本体がユーザから離間された場合には、表示部を待機状態に切り換え、
実行されている処理が存在せず、且つ、前記本体が稼動状態でユーザから離間された場合には、装置電源をＯＦＦに設定する、
ことを特徴とする請求項１に記載の電子機器。
【請求項５】
制御部にて保持されている処理結果の有無を判別する手段をさらに備え、
前記電源制御部は、所定の処理結果が保持され、且つ、電子機器本体が停止されてユーザに保持された場合には、装置電源をＯＮに設定して表示部を表示状態に切り換え、
保持されている処理結果が存在せず、且つ、前記本体が停止されてユーザに保持された場合には、装置電源をＯＦＦに維持する、
ことを特徴とする請求項１に記載の電子機器。
【請求項６】
制御部にて所定の処理が終了したか否かを判別する手段をさらに備え、
前記電源制御部は、所定の処理が終了してから前記本体がユーザに保持された場合には、表示部を表示状態に切り換え、
所定の処理が終了してから前記本体がユーザから離間された場合には、制御部にて該処理結果を保持して装置電源をＯＦＦに設定する、
ことを特徴とする請求項４又は５に記載の電子機器。
【請求項７】
前記電源制御部は、表示部を待機状態に切り換える場合には、前記制御部を通常電力より低い電力にて動作させ、表示部を表示状態に切り換える場合には、前記制御部を通常電力にて動作させる、
ことを特徴とする請求項４乃至６のいずれか１項に記載の電子機器。
【請求項８】
電子機器用の電源制御装置であって、
表示部を表示状態と待機状態との間で切り換える切換手段と、
電子機器本体がユーザに保持されているか否かを判別する判別手段と、
を備え、
前記本体が稼動状態でユーザに保持された場合には、表示部を表示状態に保持し、
前記本体が稼動状態でユーザから離間された場合には、表示部を待機状態に切り換える、
ことを特徴とする電子機器用の電源制御装置。
【請求項９】
電子機器本体の保持状態と稼動状態とを判別し、
前記判別結果に基づいて、該本体が稼動状態にて保持された場合には、表示部を表示状態に保持し、前記本体が稼動状態にて離間された場合には、前記表示部を表示状態と待機状態との間にて切り換える手段を制御して該表示部を待機状態に切り換える、
ことを特徴とする電源制御方法。
【請求項１０】
コンピュータに、
電子機器本体に配置されたセンサの検知信号に基づいて該本体が保持されているか否かを判別する手段、
前記判別手段の判別結果に基づいて、該本体が稼動状態で保持された場合には、表示部を表示状態に保持し、前記本体が稼動状態で離間された場合には、表示部を表示状態と待機状態との間で切り換える手段を制御して該表示部を待機状態に切り換える手段、
を実行させることを特徴とするプログラム。
【発明の詳細な説明】
【技術分野】
【０００１】
本発明は、携帯型の電子機器に関する。
【背景技術】
【０００２】
機器本体に設けられた圧力センサによって機器本体がユーザに保持されているか否かを検出し、圧力センサにより機器本体が保持されたことを検出した場合には、機器の電源をＯＮに設定し、機器本体が離間されたことを検出した場合には、機器の電源をＯＦＦに設定する技術が知られている。例えば、下記の特許文献１では、ユーザの手に保持されたときの圧力に応答して開閉する電源スイッチをケースの外周部に配置した座標入力ペンを開示する。この場合には、ペンがユーザに保持されたときに生成する圧力で本体の電源がＯＮに設定され、ユーザから離間されたときには圧力が消失してスイッチが通常の閉状態に復帰するので、電源スイッチの入れ忘れや消し忘れを防止することができる。
【特許文献１】特開２００２−７０７１号公報
【発明の開示】
【発明が解決しようとする課題】
【０００３】
しかし、携帯型の電子機器においては、電子機器本体は、電源がＯＮにされてその使用中に常にユーザに保持されているとは限らない。例えば、音楽再生機能を有する携帯型の電子機器では、ユーザは、装置本体をカバンやポケットに入れたままヘッドフォンで音楽を聴いたり、所定の処理を実行させる。そして、ユーザは、その処理結果を表示部にて確認したいときに、電子機器本体を取り出す。
【０００４】
このような場合において、上記のような技術では、電子機器本体が保持されていない間は、本体の電源がＯＮ／ＯＦＦされるために、機器全体の電源がＯＮ／ＯＦＦされる。そのため、電子機器本体がユーザの手から離されると、実行中の処理が中断されたり、表示までに長いセットアップ時間を要するなどの不都合が生じることがある。
【０００５】
本発明は、上記実状に鑑みてなされたものであり、電子機器本体の保持状態に対応して表示部の作動状態を制御可能な電子機器等を提供することを目的とする。
【課題を解決するための手段】
【０００６】
上記目的を達成するため、本発明の第１の観点に係る電子機器は、
携帯型の電子機器であって、
表示部を表示状態と待機状態との間で切り換える切換手段と、
本体機器がユーザに保持されているか否かを判別する判別手段と、
電源制御部と、
を備え、
前記電源制御部は、前記切換手段を制御して、
本体機器が稼動状態でユーザに保持された場合には、表示部を表示状態に保持し、
本体機器が稼動状態でユーザから離間された場合には、表示部を待機状態に切り換える、
ことを特徴とする。
【０００７】
この構成によれば、ユーザの操作に対応して表示部の作動状態を制御することができるので、装置電源のＯＮ／ＯＦＦ操作の回数が低減される。そのため、利便性が向上し、さらに装置電源の寿命が延びて耐久性も増大する。
【０００８】
上記目的を達成するため、本発明の第２の観点に係る電源制御装置は、
電子機器用の電源制御装置であって、
表示部を表示状態と待機状態との間で切り換える切換手段と、
電子機器本体がユーザに保持されているか否かを判別する判別手段と、
を備え、
前記本体が稼動状態でユーザに保持された場合には、表示部を表示状態に保持し、
前記本体が稼動状態でユーザから離間された場合には、表示部を待機状態に切り換える、
ことを特徴とする。
【０００９】
上記目的を達成するため、本発明の第３の観点に係る電源制御方法は、
電子機器本体の保持状態と稼動状態とを判別し、
前記判別結果に基づいて、該本体が稼動状態にて保持された場合には、表示部を表示状態に保持し、前記本体が稼動状態にて離間された場合には、前記表示部を表示状態と待機状態との間にて切り換える手段を制御して該表示部を待機状態に切り換える、
ことを特徴とする。
【発明の効果】
【００１０】
本発明によれば、機器本体の保持状態に対応して表示部の作動状態を制御可能な電子機器等を提供することができる。
【発明を実施するための最良の形態】
【００１１】
本発明の実施の形態にかかる電子機器について、以下図面を参照して説明する。
図１を参照して、携帯電話端末１には人感センサ１５がその背面中央近傍に配置されている。人感センサ１５は、赤外線センサである。
図２は、携帯電話端末１の概略構成を示すブロック図である。携帯電話端末１は、電源部１１と、通信部１２と、制御部１３と、表示部１４とから構成される。
【００１２】
電源部１１は、装置電源１１１と、電源制御部１１２と、電源制御部電源１１３とを有する。装置電源１１１は、所定の出力電圧を有する充電可能な電池から構成され、装置各部に電力を供給する。電源制御部１１２は、メモリを有するマイクロコンピュータ装置である。電源制御部１１２は、電子機器本体が保持されているか否かと装置電源１１１の稼動状態とを連動させる連動シーケンス、及び、電子機器本体が保持されているか否かには関係なく電気スイッチＳＷ１を制御する非連動シーケンスを記憶する。電源制御部１１２は、これらのシーケンスのいずれか一方のシーケンスに基づいて、電気スイッチＳＷ１の開閉状態を検知し、これに制御電流を供給してその動作を制御すると共に、装置電源１１１を稼動状態若しくは停止状態に設定する。ここで、電源制御部１１２は、装置電源１１１の稼動状態、すなわち、装置電源１１１が稼動しているか否かを適宜検出している。
【００１３】
電源制御部１１２は、制御部１３のＣＰＵの動作電圧の変動を検出して、制御部１３にて所定の処理が実行されているか否かを判別する。電源制御部１１２は、上記ＣＰＵにて電圧の変動が検出されない場合には、所定の処理が終了したと判断する。また、電源制御部１１２は、制御部１３のメモリの動作電圧を検出して、メモリが作業中であるか否か、すなわち、保持中の処理データがあるか否かを判別する。電源制御部電源１１３は、コンデンサ型の電池であり、装置電源１１１により適宜充電されて、常に電源制御部１１２に電力を供給する。
【００１４】
通信部１２は、制御部１３が変調した音声信号若しくはデータ信号を無線基地局に送信し、無線基地局から送信されてくる音声信号またはデータ信号を受信するための装置である。
【００１５】
制御部１３は、ＣＰＵ、メモリ等から構成され、受信したデータ信号を表示部１４に表示する。制御部１３は、音声信号を変調して若しくはデータ信号を生成しこれを変調して、通信部１２を介して識別信号と共に無線基地局に送信する。一方、制御部１３は、無線基地局から受信する音声信号及びデータ信号を復調する。さらに、制御部１３は、ユーザの指示に応じて、所定の処理を実行し、その結果を表示部１４に表示する。
【００１６】
表示部１４は、液晶表示装置であり、電源部１１から電力を供給されて、制御部１３にて復調されたデータ信号を受けてこれを変換して画面表示する。
【００１７】
次に、電源部１１の基本動作について簡単に説明する。
人感センサ１５が、赤外線にて障害物（ここでは、ユーザの手が赤外線伝播の障害物となる）を検出する。携帯電話端末１の背面中央近傍に配置されているので、携帯電話端末１を保持するユーザの手を検出して、その検出信号を電源部の電源制御部１１２に送信する。電源制御部１１２は、人感センサ１５から受信する検出信号の有無に基づいて、端末本体がユーザに保持されているか否かを判別する。
【００１８】
詳細には、電源制御部１１２は、検出信号を受信していない状態から検出信号を受信すると、端末本体がユーザに保持されたと判断する。検出信号を受信していた状態から検出信号が受信されなくなると、端末本体がユーザから離されたと判断する。電源制御部１１２は、端末本体がユーザに保持されたと判断した場合には、電気スイッチＳＷ１を閉じて、表示部１４に電力を供給する。一方、端末本体がユーザから離されたと判断した場合には、電気スイッチＳＷ１を開いて、表示部１４への電力供給を停止する。
【００１９】
以下、実施例に基づいて、電源制御処理について説明する。
（実施形態１）
図３−（ａ）を参照して、端末本体がユーザに保持されたと判別した場合には、通常の処理に割り込ませて表示部切換処理を開始する。ステップＳ１０１にて、電源制御部１１２は、装置電源１１１が稼働状態であるか否かを検出する。装置電源が稼働している場合には、ステップＳ１０２にて、電源制御部１１２は、ＳＷ１を閉じて表示部１４をＯＮに設定する。一方、装置電源１１１が停止状態である場合には、処理を終了する。
【００２０】
また、図３−（ｂ）を参照して、端末本体がユーザから離間されたと判別した場合にも、通常の処理に割り込ませて表示部切換処理を開始する。ステップＳ１０３にて、装置電源１１１が稼動状態であるか否かを検出する。装置電源１１１が稼動している場合には、ステップＳ１０４にて、電源制御部１１２は、ＳＷ１を開いて表示部１４をＯＦＦに設定する。装置電源１１１が停止状態である場合には、処理を終了する。
【００２１】
（実施形態２）
図４を参照して、上記の連動シーケンス若しくは非連動シーケンスに基づく処理について説明する。図４−（ａ）に示すように、ユーザに保持されたと判別した場合には、割り込み処理である表示部切換処理を開始する。ステップＳ２０１にて、電源制御部１１２は、装置電源１１１が稼働状態であるか否かを検出する。装置電源が稼働している場合には、ステップＳ２０２にて、ＳＷ１を閉じて表示部１４をＯＮに設定する。一方、装置電源１１１が停止している場合には、ステップＳ２０３にて、電源制御部１１２は、実行中の処理シーケンスの識別番号を識別して、現在の処理が上記連動シーケンスに基づいて実行されているか否かを判断する。連動シーケンスにて処理が実行されている場合には、ステップＳ２０４にて、電源制御部１１２は、装置電源１１１を稼動状態に設定する。なお、連動シーケンスに基づいて処理が実行されていない場合には、処理を終了する。
【００２２】
一方、図４−（ｂ）に示すように、端末本体がユーザから離間されたと判別した場合にも表示部切換処理を開始し、ステップＳ２０５にて、装置電源１１１が稼動状態であるか否かを検出する。装置電源が稼動している場合には、ステップＳ２０６にて、電源制御部１１２は、ＳＷ１を開いて表示部１４をＯＦＦに設定する。次いで、ステップＳ２０７にて、電源制御部１１２は、ステップＳ２０３と同様にして、現在の処理が連動シーケンスに基づいて実行されているか否かを判断する。連動シーケンスにて処理が実行されている場合には、ステップＳ２０８にて、電源制御部１１２は、装置電源１１１を停止状態に設定する。なお、連動シーケンスに基づいて処理が実行されていない場合には、処理を終了する。
【００２３】
（実施形態３）
図５を参照して、制御部１３にて所定の処理が実行されているか否か、及び、制御部１３にて実行済みの処理結果が保持されているか否かを判別して、電源制御処理を行う例について説明する。図５−（ａ）に示すように、ユーザに保持されたと判別した場合には、割り込み処理である表示部切換処理を開始する。ステップＳ３０１にて、電源制御部１１２は、装置電源１１１が稼働状態であるか否かを検出する。装置電源が稼働している場合には、ステップＳ３０２にて、ＳＷ１を閉じて表示部１４をＯＮに設定する。一方、装置電源１１１が停止している場合には、ステップＳ３０３にて、電源制御部１１２は、制御部１３のメモリの消費電力の変動を検出して、実行済みの処理結果が保持されているか否かを判断する。処理結果が保持されている場合には、ステップＳ３０４にて、電源制御部１１２は、装置電源１１１を稼動状態に設定する。なお、制御部１３にて処理結果が保持されていない場合には、上記処理を終了する。
【００２４】
一方、図５−（ｂ）に示すように、端末本体がユーザから離間されたと判別した場合には、ステップＳ３０５にて、装置電源１１１が稼動状態であるか否かを検出する。装置電源が稼動している場合には、ステップＳ３０６にて、電源制御部１１２は、ＳＷ１を開いて表示部１４をＯＦＦに設定する。次いで、ステップＳ０７にて、電源制御部１１２は、制御部１３のＣＰＵの消費電力の変動を検出して、制御部にて所定の処理結果が実行されているか否かを判断する。処理が実行されている場合には、確認処理に移行する。なお、処理が実行されていない場合には、ステップＳ３０８にて、装置電源１１１を停止状態に設定して、電源制御処理を終了する。
【００２５】
図６に示すように、確認処理においては、ステップＳ４０１にて、電源制御部１１２は、制御部１３のＣＰＵの消費電力の変動を検出して実行されている処理が終了したか否かを判断する。実行中の処理が終了した場合には、ステップＳ４０２にて、制御部のメモリの消費電力の変動を検出して、当該メモリの保持状態を判断する。メモリが保持状態でない場合には、ステップＳ４０３にて、当該メモリに処理結果が保持されるまで待機する。一方、ステップＳ４０２にてメモリが保持状態であると判断した場合には、ステップＳ４０４にてＳＷ１を閉じて表示部１４をＯＮに設定して、ステップ４０５にて所定時間待機して当該表示部に処理結果を表示させる。
【００２６】
（実施形態４）
図７を参照して、制御部のＣＰＵの動作モードを設定する処理について説明する。図７−（ａ）に示すように、ユーザに保持されたと判別した場合には、割り込み処理である表示部切換処理を開始する。ステップＳ５０１にて、電源制御部１１２は、装置電源１１１が稼働状態であるか否かを検出する。装置電源が稼働している場合には、ステップＳ５０２にて、電源制御部１１２は、制御部１３のＣＰＵに印加する電圧を通常電圧に設定して、当該ＣＰＵを通常電力モードに移行させる。一方、装置電源１１１が停止状態である場合には、処理を終了する。
【００２７】
また、図７−（ｂ）を参照して、端末本体がユーザから離間されたと判別した場合にも、割り込み処理である表示部切換処理を開始する。ステップＳ５０３にて、装置電源１１１が稼動状態であるか否かを検出する。装置電源が稼動している場合には、ステップＳ５０４にて、電源制御部１１２は、制御部１３のＣＰＵに印加する電圧を通常電圧より低く設定して、当該ＣＰＵを省電力モードに移行させる。装置電源１１１が停止状態である場合には、処理を終了する。
【００２８】
本発明は、上記の実施の形態に限定されず、その応用及び変形等は任意である。
上記実施の形態では、赤外線センサによりユーザを感知する人感センサを携帯電話端末に配置する説明したが、携帯電話端末に配置するセンサは、赤外線センサに限定されず、公知の加速度センサ及び温度センサ等も使用可能である。例えば、ユーザに保持される端末に固有な所定の時間周期の揺れを、加速度センサが検出する加速度の大きさ及び向きに基づいて識別するようにしてもよい。固有の揺れが識別された場合には、携帯電話端末がユーザに保持されていると判断し、この揺れが識別されない場合には、端末が保持されていないと判断することができる。また、携帯電話端末の表面温度の分布を温度センサにより測定し、所定の温度偏差が存在する場合には、端末がユーザにより保持されていると判断し、その温度偏差が存在しない場合には、端末が保持されていないと判断するようにしてもよい。
【００２９】
上記実施の形態では、表示部のＯＮ／ＯＦＦを設定するために、電気スイッチを配置すると説明したが、機械スイッチ、物理スイッチ、光スイッチ等の公知のスイッチを使用することができる。さらに、スイッチング機能を有する回路として構成されてもよい。さらに、電源制御部が、直接、表示部の駆動電源をＯＮ／ＯＦＦするようにしてもよい。なお、この場合には、停止状態からの画面表示を迅速にするために、バックアップ電源が配置されることが望ましい。
【００３０】
上記実施の形態では、携帯型の電子機器として携帯電話端末を例に説明したが、本発明は、携帯電話端末に限定されず、携帯情報端末（ＰＤＡ）、携帯用パーソナルコンピュータ装置、ＤＶＤ再生機能を有する電子機器等他の携帯型の電子機器にも適用可能である。
【００３１】
上記実施の形態では、電源制御部は、電源部に配置され、制御部及び表示部に接続されてこれらの稼動状態を制御すると説明した。しかし、これに限定されず、上述した処理が実行可能である限り電源制御回路の構成は任意であり、例えば、電源制御部が、表示部あるいは制御部に含まれてもよい。さらに、電源制御部が、装置電源を稼動状態と停止状態とに設定する代わりに、通信部及び制御部と装置電源との間に、それぞれ、例えば、電気スイッチを配置して、これらの電気スイッチの開閉動作を制御して、装置各部に電力を供給する装置電源のＯＮ／ＯＦＦを実質的に制御するようにしてもよい。
【００３２】
上記実施の形態では、携帯電話端末本体の保持状態と装置電源の稼動状態とを連動させる連動シーケンス、及び、携帯電話端末本体の保持状態とは関係なく装置電源の稼動／停止を設定する非連動シーケンスに基づいて、制御処理を実行すると説明した。しかし、ＣＰＵが実行する処理シーケンスの代わりに、特定の回路を用いて連動モードと非連動モードとを電気的若しくは物理的に切り換えるようにしてもよい。
【００３３】
上記実施の形態では、ＣＰＵの動作電圧の変動及びメモリの動作電圧を検出して、ＣＰＵ及びメモリの動作状態を判別すると説明した。しかし、動作電圧及びその変動を検出する代わりに、動作電流あるいは消費電力とその変動を検出するようにしてもよい。
【００３４】
本発明に係る電源制御プログラムは、任意の形態で提供され得る。電源制御部メモリ装置に予め記憶させてもよいし、フレキシブルディスク、ＣＤ−ＲＯＭ、ＤＶＤ等の記録媒体に記憶させ、これらを介して、携帯電話端末のコンピュータ装置に提供するようにしてもよい。さらに、ＷＥＢサイトの電子掲示板等にアップロードしておき、電気通信回線を通じて若しくは無線により端末装置にダウンロードするようにして配布することも可能である。あるいは、プロバイダ等から電子メールの添付ファイル等により提供するようにしてもよい。
【図面の簡単な説明】
【００３５】
【図１】本発明に係る携帯電話端末の外形状を示す模式図である。  （ａ）は、正面からみた概略図である。  （ｂ）は、背面からみた概略図である。
【図２】本発明に係る携帯電話端末の概略構成を示すブロック図である。
【図３】電源制御部の動作の例を示すフローチャートである。
【図４】電源制御部の動作の別の例を示すフローチャートである。
【図５】電源制御部の動作の他の例を示すフローチャートである。
【図６】確認処理における電源制御部の動作を示すフローチャートである。
【図７】電源制御部の動作のさらなる他の例を示すフローチャートである。
【符号の説明】
【００３６】
１…携帯電話端末、１１…電源部、１２…通信部、１３…制御部、１４…表示部、１５…人感センサ、１１１…装置電源、１１２…電源制御部、１１３…電源制御部電源
【図１】
2005293425.tif 000003
【図２】
2005293425.tif 000004
【図３】
2005293425.tif 000005
【図４】
2005293425.tif 000006
【図５】
2005293425.tif 000007
【図６】
2005293425.tif 000008
【図７】
2005293425.tif 000009